(57)【要約】 【課題】  長時間の使用に際して苦痛がなく、頭部へ違和感が無い装着を可能とし、且つ適度な弾性力で頭部に密着する高感度の骨伝導スピーカーを低価格で提供すること。【解決手段】  音声振動を発生するトランスジューサー１とこれを収納し振動を伝える筺体２からなる骨伝導スピーカーユニットである。この骨伝導スピーカーユニットは、眼鏡の弦部７に取り付けるアダプター部４とヒンジ部５、ばね部６を備えることで連結し、外耳の裏側に適度の弾性力で密着させることで、より高感度な骨伝導スピーカーユニットを可能にする。また、眼鏡の弦部７に取り付けるアダプター部４にキャップ、クリップ、ベルト状部材を備えることで、アダプター部４を着脱可能にする。【選択図】  図１
2006157318.tif 000002
【特許請求の範囲】
【請求項１】
電磁式、もしくは圧電式で音声振動を発生するトランスジューサー部と、これを収納し振動を伝える筺体部よりなる骨伝導スピーカー部と、前記骨伝導スピーカー部を眼鏡の弦部に取り付けるアダプター部からなることを特徴とする骨伝導スピーカーユニット。
【請求項２】
請求項１記載の骨伝導スピーカーユニットを配してなることを特徴とする眼鏡。
【請求項３】
前記骨伝導スピーカー部が、眼鏡装着時に外耳の裏側に当接するようにすることを特徴とする請求項１記載の骨伝導スピーカーユニット。
【請求項４】
前記アダプター部には、前記骨伝導スピーカー部との連結部を有し、該連結部にはヒンジ機構部とばね機構部を備えてなることを特徴とする請求項１記載の骨伝導スピーカーユニット。
【請求項５】
前記骨伝導スピーカー部を眼鏡の弦部に装着し、耳に掛ける前の状態では、前記骨伝導スピーカー部は眼鏡のつるの先端部に平行で、掛けた後にヒンジ機構部で屈曲でき、適度の弾性力で外耳の裏側に接触させることを特徴とする請求項１記載の骨伝導スピーカーユニット。
【請求項６】
前記外耳の裏側に接触させる圧力が、０ｇ／ｍｍ2を超えることを特徴とする請求項１記載の骨伝導スピーカーユニット。
【請求項７】
前記アダプター部は、眼鏡の弦部への着脱部材を有することを特徴する請求項１記載の骨伝導スピーカーユニット。
【請求項８】
前記着脱部材は、キャップ、クリップ、ベルト状部材であることを特徴とする請求項７記載の骨伝導スピーカーユニット。
【発明の詳細な説明】
【技術分野】
【０００１】
本発明は、骨伝導を利用したスピーカーユニットに関するものである。
【背景技術】
【０００２】
骨伝導スピーカーは、主として人体の頭部に装着することにより音響振動を頭蓋骨経由で内耳の蝸牛機関に伝えて音声を聴き取る構成になっている。このスピーカーの頭部への装着方法として、ヘルメットにマイクロフォンを実装する方式（特許文献１参照）、ヘッドフォンスタイル（特許文献２、特許文献３参照）が提案されている。
【０００３】
これらの骨伝導マイクロフォンの装着は、短時間の使用なら、さほどに苦痛を感じない。しかし、一定の時間を超えると頭部の疲労や圧迫感を感じる者が多く、長時間の使用には耐えられないという問題があった。また、聴覚の補助として使用される場合、使用者の多くは高齢者であり、眼鏡の着用者も多く、眼鏡とヘッドフォン両方の装着は苦痛感をより増大させる。また、ヘッドフォンやヘルメット構造の構成は、部品点数も多く高価になりやすいという欠点があった。
【０００４】
【特許文献１】特開２００１−３３３４７８
【特許文献２】特開平  １１−３３１９７０
【特許文献３】特開２００１−０１６６７２
【発明の開示】
【発明が解決しようとする課題】
【０００５】
上述したように、従来の骨伝導スピーカーヘッドヘッドセットは、長時間の装着において苦痛を伴い、部品点数が多く、高価になりやすいという問題があった。本発明では、長時間の使用に際して苦痛がなく、さらに、頭部への装着において違和感がなく、かつ装着が容易で、適度な弾性力で、さらに外耳の裏側に当接する、より高感度の骨伝導スピーカーユニットを低価格で提供することを課題とする。
【課題を解決するための手段】
【０００６】
上記目的を達成するための第１の発明は、電磁式、もしくは圧電式で音声振動を発生するトランスジューサー部と、これを収納し振動を伝える筺体部よりなる骨伝導スピーカー部と、前記骨伝導スピーカー部を眼鏡の弦部に取り付けるアダプター部からなる骨伝導スピーカユニットである。
【０００７】
上記目的を達成するための第２の発明は、前記骨伝導スピーカーユニットを配してなる眼鏡である。
【０００８】
上記目的を達成するための第３の発明は、前記骨伝導スピーカー部が、眼鏡装着時に外耳の裏側に当接するようにする骨伝導スピーカーユニットである。
【０００９】
上記目的を達成するための第４の発明は、前記アダプター部には、前記骨伝導スピーカーとの連結部を有し、該連結部はヒンジ機構部とばね機構部を備えてなる骨伝導スピーカーユニットである。
【００１０】
上記目的を達成するための第５の発明は、前記骨伝導スピーカー部を眼鏡の弦部に装着し、耳に掛ける前の状態では、前記骨伝導スピーカー部は眼鏡のつるの先端部に平行で、掛けた後にヒンジ機構部で屈曲でき、適度の弾性力で外耳の裏側に接触させる骨伝導スピーカーユニットである。
【００１１】
上記目的を達成するための第６の発明は、前記外耳の裏側に接触させる圧力が、０ｇ／ｍｍ2を超える骨伝導スピーカーユニットである。
【００１２】
上記目的を達成するための第７の発明は、前記アダプター部は、眼鏡の弦部への着脱部材を有する骨伝導スピーカーユニットである。
【００１３】
上記目的を達成するための第８の発明は、前記着脱部材は、キャップ、クリップ、ベルト状部材である骨伝導スピーカーユニットである。
【００１４】
本発明は、音声振動を発生するトランスジューサー１とこれを収納し振動を伝える筺体２からなる骨伝導スピーカーユニット１１である。この骨伝導スピーカーユニット１１は、眼鏡の弦部７に取り付けるアダプター部４とヒンジ部５とばね部６を備えることで連結し、外耳の裏側に適度の弾性力で密着させることができ、より高感度な骨伝導スピーカーユニット１１を可能にする。また、眼鏡の弦部７に取り付けるアダプター部４にキャップ、クリップ、ベルト等を備えることで、アダプター部４を着脱可能にできる。その結果、長時間の使用に際して苦痛がなく、違和感のない装着動作が容易に図れ、上記課題を解決できる。
【発明の効果】
【００１５】
本発明の骨伝導スピーカーユニットは、簡便な構成で眼鏡の弦部に直接取り付ける事で、頭部への装着を可能としている。また、眼鏡の弦部に取り付けるアダプター部とヒンジ部とばね部を備えることで、外耳の裏側に適度の弾性力で密着させることができ、より高感度な骨伝導スピーカーユニットを可能にする。さらに、眼鏡の弦部に取り付けるアダプター部にキャップ、クリップ、ベルト等を備えることで、アダプター部を着脱可能にできる。
【００１６】
また、本発明の骨伝導スピーカーユニットは、基本的に軽量な構成にできるので、装着の違和感も少なく長時間の使用に耐えやすい。また、眼鏡を使用しない場合や、用途に応じた眼鏡の交換をする場合には容易に着脱可能である。日常の眼鏡使用者にはもちろんのこと、通常眼鏡を使用しない者の場合でも度数の無い眼鏡を用いることで容易に目的は達成できる。さらに、本発明では、非常に簡便な構成で部品点数も少なく安価に生産できる利点もある。
【発明を実施するための最良の形態】
【００１７】
本発明の最良の形態に係る骨伝導スピーカーユニットは、電磁式、もしくは圧電式の音声振動を発生するトランスジューサー１と、これを収納し振動を伝える筺体２よりなる骨伝導スピーカー部であって、この骨伝導スピーカー部は、眼鏡の弦部７に取り付けるアダプター部４と連結し、眼鏡装着時に骨伝導スピーカーを外耳の裏側に当接できる。
【００１８】
また、この骨伝導スピーカーとアダプター部４の連結にヒンジ部５とばね部６を備え、眼鏡の弦部７に装着し耳に掛ける前の状態では、骨伝導スピーカー部は眼鏡のつるの先端部に平行で、掛けた後にヒンジ部５で屈曲でき、適度の弾性力で外耳の裏側に接触させることができる。特に、骨伝導スピーカー部１０を外耳の裏側に押し付ける力、即ち、骨伝導スピーカー部の外耳の裏側への接触圧力が音響情報を伝達する上で重要である。外耳の裏側に当接するかしないかで、明確に音響情報の伝達能力に差があり、骨伝導スピーカー部１０の外耳の裏側への接触圧力は０ｇ／ｍｍ2を超えるのが好適であり、最良の形態では接触圧力０．３９ｇ／ｍｍ2で行った。
【００１９】
更に、このアダプター部４は、眼鏡の弦部７に取り付ける目的のキャップ、クリップ、ベルト等が付帯され、眼鏡の弦部７と着脱可能にできる。
【実施例】
【００２０】
本発明の実施例について詳細に説明する。図１は、本発明の骨伝導スピーカーユニットの実施例に係る本発明の基本構造を示す図である。図２は、本発明の実施例に係る眼鏡装着前の骨伝導スピーカーユニットの構造図である。図３は、本発明の実施例に係る眼鏡装着時の骨伝導スピーカーユニットの構造図である。図４は、本発明の実施例に係る骨伝導スピーカーユニットの眼鏡装着時の装着状態を示す図である。
【００２１】
図５は、本発明の実施例に係る骨伝導スピーカーユニットの装着場所とその装着状況を示す図である。図６は、本発明の実施例に係る骨伝導スピーカー部の外耳の裏側に押し付ける力（当接の有・無）による音響情報の伝達能力を比較した図である。図７は、本発明の実施例に係る骨伝導スピーカーユニットの着脱部材の装着例を示す模式図である。
【００２２】
本発明の実施例に係る骨伝導スピーカーユニットは、図１に示すとおり、圧電式の音声振動を発生するトランスジューサー１とこれを収納する筐体２、筐体支持部３からなる骨伝導スピーカー部１０、眼鏡に取り付ける目的のアダプター部４、さらに骨伝導スピーカー部１０とアダプター部を連結するヒンジ部５、ばね部６にて構成される。
【００２３】
アダプター部４は眼鏡の弦部７に取り付ける目的のキャップ状の構造にし、使用しないときに眼鏡から簡単に外したり、使用する眼鏡によって付け替えたりできる着脱可能な構成とする。なお、ここでは、骨伝導スピーカーユニット１１の軽量化を図るために、プラスチック材料を用いている。
【００２４】
トランスジューサー１は、マグネットの発生する磁界とムービングコイルを流れる音声電流が発生する磁界との相互作用で音声振動が発生する動電型マイクロフォンもしくは圧電素子の歪みを利用した圧電型のマイクロフォンであっても良いが、軽量化の観点からすると圧電型が好ましい。
【００２５】
本発明の実施例において、図２に示すように、眼鏡をかける場合は、骨伝導スピーカー部１０は眼鏡の弦部７の先端部と平行にすると装着が容易になり、耳にかけた後は、図３に示すように、ヒンジ部５によって骨伝導スピーカー部１０を屈曲させ、同時にバネの復元力によって、図４に示すように、外耳の裏側に適度な弾性力で密着することが可能となり、より高感度な骨伝導スピーカーユニット１１を可能にする。
【００２６】
また、非常に簡便な構造で重量の増加に繋がらない構成なので、長時間の使用に際して苦痛がない。従来のヘルメットタイプの構造では、ヘルメットそのものの重量が約３００ｇｒであるのに対して、本発明の眼鏡タイプの構造では、眼鏡そのものの重量は、約４０ｇｒ程度である。
【００２７】
本発明の実施例において、図５に示すように、本発明Ａ（骨伝導スピーカー部１０を外耳の裏側に当接させる場合）は、適度な弾性力で安定に密着させることができた。従来例Ｂ（骨伝導スピーカー部を外耳の表側に当接させる場合）は、適度な設置場所がないために、安定に密着させることができなかった。従来例Ｃ（骨伝導スピーカー部１０を外耳の裏側に当接しない場合）は、適度な弾性力で安定に密着させることができた。
【００２８】
本発明の実施例において、図６は、本発明の実施例に係る骨伝導スピーカー部を外耳の裏側に当接させる場合Ａと従来例Ｃ（骨伝導スピーカー部を外耳の裏側に当接しない場合）の音響情報の伝達能力を比較した図である。
【００２９】
ここでは、骨伝導機能や関連する機器の評価法として、乳様突起から聴覚神経に至る伝達関数を正確に擬似した人工内耳（Ｂ＆Ｋ型 Artificial Mastoid Type 4930）を用いて、人体の聴覚神経に相当する位置での加速度を、すべて同じ駆動電圧で１００Ｈｚから１０ｋＨｚまで駆動して、力を与えた状態と無負荷の状態について両者を比較した。
【００３０】
人工内耳での加速度の比較結果を示したのが、図６である。外耳の裏側に当接する場合が２００ｇのおもりを与えた条件である。外耳の裏側に当接しない場合が無負荷の条件である。なお、ここでいう当接するは、０ｇを超えるおもりがかかることに相当する。また、２００ｇのおもりを与えた条件の接触圧力は、換算すると０．３９ｇ／ｍｍ2であった。
【００３１】
この実験結果より、２００ｇのおもりを与えた条件の加速度レベルが高く、より音響情報を伝達しやすいことがわかった。これより、外耳の裏側へ適度なに押し付け力により、より高感度な骨伝導スピーカーユニットが実現できることがわかる。
【００３２】
本発明の実施例において、骨伝導スピーカーユニットの着脱部材の装着例がある。図７（ａ）は、キャップ状部材の例を示し、図７（ｂ）は、クリップ状部材の例を示し、図７（ｃ）は、ベルト状部材の例を示す。いずれも、単純な構造で、着脱可能な構成になっている。
【００３３】
マイクロフォンからのびるコードは、音響機器から有線、もしくは赤外線、ブルーツース等の無線手段で伝達された音声信号を増幅するアンプ部にジャックを用いて結線される。
【００３４】
なお、電磁式にて同様の骨伝導ユニットを作製したが、同様の効果を奏した。
【図面の簡単な説明】
【００３５】
【図１】本発明の実施例に係る骨伝導スピーカーユニットの基本構造を示す図。
【図２】本発明の実施例に係る骨伝導スピーカーユニットの眼鏡装着前の構造図。
【図３】本発明の実施例に係る骨伝導スピーカーユニットの眼鏡装着時の構造図。
【図４】本発明の実施例に係る骨伝導スピーカーユニットの眼鏡装着時の装着状態を示す図。
【図５】本発明の実施例に係る骨伝導スピーカーユニットの装着場所とその装着状況を示す図。
【図６】本発明の実施例に係る骨伝導スピーカーを外耳の裏側に当接させる場合Ａと従来例Ｃ（骨伝導スピーカー部を外耳の裏側に当接しない場合）の音響情報の伝達能力の比較を示す図。
【図７】本発明の実施例に係る骨伝導スピーカーユニットの着脱部材の装着例を示す図。図７（ａ）は、キャップ状部材の例を示す図、図７（ｂ）は、クリップ状部材の例を示す図、図７（ｃ）は、ベルト状部材の例を示す図。
【符号の説明】
【００３６】
１    トランスジューサー
２    筐体
３    筐体支持部
４    アダプター部
５    ヒンジ部
６    バネ部
７    眼鏡の弦部
８    眼鏡のレンズ部
９    コード
１０    骨伝導スピーカ部
１１    骨伝導スピーカーユニット
【図１】
2006157318.tif 000003
【図２】
2006157318.tif 000004
【図３】
2006157318.tif 000005
【図４】
2006157318.tif 000006
【図５】
2006157318.tif 000007
【図６】
2006157318.tif 000008
【図７】
2006157318.tif 000009